(57)【特許請求の範囲】
【請求項１】
アコーデオンカーテンの縦枠体に対して取手本体に設ける足部を着脱自由に取付けるようにした取手取付装置であって、前記縦枠体には前記取手本体を装着するための取付溝を長手方向に沿って形成すると共に、該取付溝の相対向する左右の端部に左右方向に深さを有する凹溝を向い合せに形成し、他方前記取手本体の足部の先端にはネジを挿通するための挿通孔を形成して、該挿通孔に挿通する前記ネジを介して取付板の略中央に設けたネジ孔に螺合装着すると共に、該取付板は対向一対の短辺部と対向一対の長辺部とを有し、角部が曲形に角取りされており、その長辺部間の幅を前記縦枠体の取付溝の幅より小さく、また短辺部間の幅を前記左右の凹溝間の幅より大きく形成して装着時には上記取付板の長辺部を前記取付溝の長手方向に揃えて挿入し、かつネジを締付けると、取付板が締付方向に回転して前記対角一対の曲部又は長辺部が凹溝の底部に対して当接し、回転を止めた状態にして更に上記ネジを回転することにより前記取付板を前記足部側に引き付け、前記取付溝の左右の縁部を挟持することによって前記縦枠体に取手本体を着脱自由に取付けられるようにしたことを特徴とする取手取付装置。
【発明の詳細な説明】
【技術分野】
【０００１】
本発明は、アコーデオンカーテンの側部フレーム（縦枠体）にアコーデオンカーテン用取手本体を取付る際に用いる取手取付装置に関する。
【背景技術】
【０００２】
アコーデオンカーテン用取手（以下、単に取手本体と記載する）は、アコーデオンカーテンの開閉等の際に手を掛けるもので、工場から出荷する際には縦枠体に取付られて出荷され、その際の高さ位置は標準的な高さに設定されている。
【０００３】
ところが、ユーザの身長はそれぞれ異なるため、標準的な位置に固定してしまうと、使い勝手が悪い場合も生じ、かかる不具合に対応すべく、取手本体の位置が容易に変えられるようにした構成が提案されている（特許文献１，２参照）。
【０００４】
このような取手本体が取付られる縦枠体は、取付面が凹設されると共に、その端部が左右に潜込んでなる案内溝が形成された断面視「Ｃ字状」の長尺材である。
【０００５】
そして、特許文献１においては、取手本体の上下端に固設された突出片を案内溝に挿入し、ネジで固定プレートを取付面側に押し付けることにより突出片と案内溝の側辺部とを当接させて、その摩擦力で固定する構成になっている。従って、ユーザはネジを緩め好きな高さ位置に合わせて、当該ネジを締め付けることにより取手本体の高さ調整が可能になっている。
【０００６】
また、特許文献２においては、案内溝に挿嵌する受座を当該案内溝に挿入すると共に、受座カバーを表側から受座に宛い、取手本体の上下端に設けられたネジを介して受座を当該取手本体側に引き寄せるように締め付けることにより受座カバーと受座とで案内溝の側辺部を挟持して固定する構成となっている。従って、ユーザは、ネジを緩め好きな高さ位置に合わせて、当該ネジを締め付けることにより取手本体の高さ調整が可能になっている。
【特許文献１】実用新案登録第２６０５４２６号公報
【特許文献２】特許第２９６０８７１号
【発明の開示】
【発明が解決しようとする課題】
【０００７】
しかしながら、上述した各文献にかかる構成では以下のような不都合があり、ユーザが容易に取手本体を交換することができない問題があった。
【０００８】
即ち、特許文献１においては、突出片が取手本体の上下端部に固設されており、この突出片を案内溝に挿脱するには、縦枠体の上端又は下端から挿脱する必要がある。また、特許文献２においては、受座を案内溝から挿脱する必要があるが、この場合も縦枠体の上端又は下端から挿脱する必要がある。
【０００９】
ところが、アコーデオンカーテンは、既に施工されて縦枠体の下端は床面に略接しており、また上端は天井や梁等に略接している状態が多いので、上端や下端から取手本体や受座を挿脱する空間が確保できない。従って、アコーデオンカーテン自体を一度取外す必要が生じて、ユーザによる取手本体の交換を困難にしている。
【００１０】
本発明は、このような問題点を考慮してなされたもので、取手本体の位置調整が容易に行えるようにしながら、アコーデオンカーテンを取外したりしなくても取手本体を容易に交換可能にした取手取付装置及びそれを備えたアコーデオンカーテン用取手を提供することを目的とする。
【課題を解決するための手段】
【００１１】
前述の課題を解決するため、本発明に係る取手取付装置は、特許請求の範囲の各請求項に記載の手段を採用する。
【００１２】
即ち、本発明では、アコーデオンカーテンの縦枠体に対して取手本体に設ける足部を着脱自由に取付けるようにした取手取付装置であって、前記縦枠体には前記取手本体を装着するための取付溝を長手方向に沿って形成すると共に、該取付溝の相対向する左右の端部に左右方向に深さを有する凹溝を向い合せに形成し、他方前記取手本体の足部の先端にはネジを挿通するための挿通孔を形成して、該挿通孔に挿通する前記ネジを介して取付板の略中央に設けたネジ孔に螺合装着すると共に、該取付板は対向一対の短辺部と対向一対の長辺部とを有し、角部が曲形に角取りされており、その長辺部間の幅を前記縦枠体の取付溝の幅より小さく、また短辺部間の幅を前記左右の凹溝間の幅より大きく形成して装着時には上記取付板の長辺部を前記取付溝の長手方向に揃えて挿入し、かつネジを締付けると、取付板が締付方向に回転して前記対角一対の曲部又は長辺部が凹溝の底部に対して当接し、回転を止めた状態にして更に上記ネジを回転することにより前記取付板を前記足部側に引き付け、前記取付溝の左右の縁部を挟持することによって前記縦枠体に取手本体を着脱自由に取付けられるようにしたことを特徴とする取手取付装置を提供することにある。
【００１３】
これにより、装着時には取付板の長辺部を取付溝の長手方向に揃えて挿入し、ネジの回転により取付板の短辺部を取付溝の左右の凹溝の底部に当接し、回転を止めた状態にして更に上記ネジを回転することにより取付板を足部側に引き付け、取付溝の左右の縁部を挟持することによって縦枠体に取手本体を着脱自由に取付けることができる。
【００１５】
さらに、取付板の短辺部と長辺部との角部は、取付溝の左右の凹溝の底部に対して当接して次第に強固な当接となるので、縦枠体に対して取手本体が左右にぐら付かないものとなっている。
また、角取りによってアコーデオンカーテンの制約された空間である縦枠体の内部での取付板の回動機能が保障される。
【発明の効果】
【００１６】
本発明に係る取手取付装置は、アコーデオンカーテンの縦枠体に対して取手本体に設ける足部を着脱自由に取付けるようにした取手取付装置であって、前記縦枠体には前記取手本体を装着するための取付溝を長手方向に沿って形成すると共に、該取付溝の相対向する左右の端部に左右方向に深さを有する凹溝を向い合せに形成し、他方前記取手本体の足部の先端にはネジを挿通するための挿通孔を形成して、該挿通孔に挿通する前記ネジを介して取付板の略中央に設けたネジ孔に螺合装着すると共に、該取付板は対向一対の短辺部と対向一対の長辺部とを有し、一方の対角部が曲げ半径の大きな曲部とからなっており、その長辺部間の幅を前記縦枠体の取付溝の幅より小さく、また短辺部間の幅を前記左右の凹溝間の幅より大きく形成し、かつネジを締付けると、取付板が締付方向に回転して前記一対の曲部が凹溝に噛み合うようにしたので、取手本体の位置調整が容易に行え、かつ、アコーデオンカーテンを取外したりしなくても取手本体を容易に交換可能になる。
【発明を実施するための最良の形態】
【００１７】
以下、本発明に係る取手取付装置を実施するための最良の形態を図面に基づいて説明する。本実施の形態では、アコーデオンカーテンやアコーディオンドア等の側縁部に縦方向に延びた側部フレーム（縦枠体）への取付けに好適なものを示してある。なお、本明細書ではアコーデオンカーテンやアコーディオンドア等をアコーデオンカーテンと記載する。
【００１８】
縦枠体Ｒは、長手方向に沿って所定幅の取付溝１８を備えると共に、該取付溝１８の左右端部に凹溝１９が形成されて、該凹溝１９と係合して取手本体２を当該縦枠体Ｒに固定する。
【００１９】
取手本体２は、手が掛けられる中央部２１の両端部に足部２２が設けられた平山形に形成され、足部２２には着脱可能なカバー部２３が設けられ、足部２２の先端側を内部から開放することができるようになっている。
【００２０】
開放される足部２２の先端側には、ネジ３が挿通される挿通孔２４が形成され、その面はネジ３の受座２５をなしている。受座２５の縦枠体Ｒ側には、取付板１を位置させて回動を可能にする空間２６が設けられると共にこの空間２６に受座２５から突出した片形のストッパ２７が設けられている。
【００２１】
取付板１は、対向一対の短辺部１１と対向一対の長辺部１２とを有した概略矩形状に形成され、縦枠体Ｒの取付溝１８の幅よりも長辺部１２、１２間の幅が僅かに短い寸法とされ、短辺部１１、１１間の幅が左右の凹溝１９、１９の幅よりも僅かに長い寸法とされ、長辺部１２と短辺部１１との対角位置の一対のコーナに曲部１４、１４が形成されている。ネジ３を締付けると取付板１が締付方向に回転して、この曲部１４、１４が凹溝１９、１９に噛み合うことで、しっかりと取手本体２を固定することができる。
【００２２】
また、短辺部１１と長辺部１２とがなす角部（コーナ部）は、曲形に角取りされて、その角取りは曲げ半径の小さな曲部１３と、曲げ半径の大きな曲部１４とからなっている。さらに、取付板１の中心部には、ネジ３が螺合するネジ孔１５が穿孔され、ネジ孔１５の周囲にボス１６が設けられている。
【００２３】
ネジ３は、取手本体２の挿通孔２４に挿通され取付板１のネジ孔１５に螺合される通常のものからなる。このネジ３については、軸長に比してネジ部，頭部の径の大きなものを選択し、取付板１のネジ孔１５との間で抜止め加工しておくのが好ましい。このネジ３には、１本で後述のように取付板１を回動可能にして支持する機能と、取付板１の締付機能との２つの機能を奏するため、構造の複雑化を避けることができる。
【００２４】
このような構成で、図４において二点鎖線で示すように、ネジ３を緩めて取付板１の締付けを解除し、取付板１の短辺部１１を縦枠体Ｒの取付溝１８に直交させることで、縦枠体Ｒに対して取付板１を抜差しすることができるようになる。なお、ネジ３，取付板１のネジ孔１５に抜止め加工しておくと、取付板１が縦枠体Ｒの内部に脱落してしまうのを防止することができる。
【００２５】
また、図４において実線で示すように、取付板１の長辺部１２を縦枠体Ｒの取付溝１８に直交させネジ３を締めることで、取付板１を縦枠体Ｒに締付け係止させることができる。このとき、取付板１のボス１６は、締付け圧力による取付板１の変形を防止する。なお、図３に示すように、取手本体２の足部２２の先端縁が縦枠体Ｒの底面に当接されるようにすると、縦枠体Ｒに対する取付強度を高めることができる。
【００２６】
従って、縦枠体Ｒの開放されている端部から取付板１を挿通させたり引抜いたりする必要がないため、既に設置されているアコーデオンカーテン（縦枠体Ｒ）に対する取外し，取付けが容易になる。
【００２７】
なお、図４において二点鎖線の図示から実線の図示への示す取付板１の回動では、取付板１が曲部１３，１４で角取りされているため、取付板１の回転径が小さくなって縦枠体Ｒの制約された空間の内部での確実な回動が確保される。また、取付板１の角取りされた曲部１３，１４は、縦枠体Ｒに対する抜差しや縦枠体Ｒの内部での回動で縦枠体Ｒ等を傷付け損傷するのを防止する作用もある。
【００２８】
また、取付板１の曲げ半径の異なる曲部１３，１４は、小さな曲げ半径の曲部１３の回動による縦枠体Ｒとの接触を避けて、ネジ３による回転締付けの操作量を確保して操作感を良好にするとともに、大きな曲げ半径の曲部１４の回動による縦枠体Ｒとの接触によって、取付板１の空回りを防止している。なお、取付板１の空回りの防止には、取手本体２のストッパ２７も寄与する。
【図面の簡単な説明】
【００２９】
【図１】本発明に係る取手取付装置を実施するための最良の形態の分解斜視図である。
【図２】図１の組立状態の斜視図である。
【図３】図２に取付状態の縦断面図である。
【図４】図３の縦断面図である。
【符号の説明】
【００３０】
１  取付板
２  取手本体
３  ネジ
１１  取付板の短辺部
１２  取付板の長辺部
１３，１４  取付板の角部に形成される曲部
１５  ネジ孔
１６  ボス
１８  取付溝
１９  取付溝の左右の端部に設けられる凹溝
２１  中央部
２２  足部
２３  カバー部
２４  挿通孔
２５  受座
２６  空間
【図１】
0004336666.tif 000002
【図２】
0004336666.tif 000003
【図３】
0004336666.tif 000004
【図４】
0004336666.tif 000005